(57)【要約】【課題】  外付けされるスピーカユニットの重量制限や大きさの制限を緩和し、ユーザの好みに合った外部スピーカユニットを着脱可能な情報端末を提供することを目的とする。【解決手段】  主演算器とキーボードが一体となった本体と、前記本体の一辺に信号端子を介して着脱可能に設けられた表示器とを具備し、前記信号端子は、前記表示器を前記本体から取り外した状態でスピーカユニットを装着可能に形成されていることを特徴とする情報端末を提供する。このとき前記表示器は、前記本体から取り外した状態で前記本体と信号ケーブルを介して接続されていてもよい。さらに前記表示器は、前記本体に取り付けた状態で前記本体に対して開閉自在に接続されてもよい。【選択図】  図４
2006106821.tif 000002
【特許請求の範囲】
【請求項１】
主演算器とキーボードが一体となった本体と、
前記本体の一辺に信号端子を介して着脱可能に設けられた表示器とを具備し、
前記信号端子は、前記表示器を前記本体から取り外した状態でスピーカユニットを装着
可能に形成されていることを特徴とする情報端末。
【請求項２】
前記表示器は、前記本体から取り外した状態で前記本体と信号ケーブルを介して接続さ
れていることを特徴とする請求項１記載の情報端末。
【請求項３】
前記表示器は、前記本体に取り付けた状態で前記本体に対して開閉自在に接続されてい
ることを特徴とする請求項１記載の情報端末。
【請求項４】
前記スピーカユニットは、前記本体に取り付けた状態で前記本体に対して取り付け角度
を可変に接続されていることを特徴とする請求項１記載の情報端末。
【発明の詳細な説明】
【技術分野】
【０００１】
本発明は、情報端末装置に関する。
【背景技術】
【０００２】
近年、パーソナルコンピュータ（ＰＣ）や携帯電話などの情報端末は、情報処理機器や
通信機能としての本来の用途のみならず、動画コンテンツ再生装置やテレビ受信機または
ＭＰ３（ＭＰＥＧ  Ａｕｄｉｏ  Ｌａｙｅｒ−３）などのデジタル音楽再生装置としても
用いられるようになってきた。
【０００３】
このような用途、とりわけ、高音質のオーディオ出力が求められる用途においては、Ｐ
Ｃや携帯電話に内蔵された小さな内部スピーカでは、役不足であることから外部スピーカ
を外付けできるようにしておき、内部スピーカの代わりに性能のよい外部スピーカを用い
て、より高音質のオーディオ出力を楽しめるようになった（特許文献１参照）。
【０００４】
この発明は、いわゆるノート型と呼ばれるＰＣにおいて、その液晶表示パネル部の左右
両端に外付けスピーカ系合部を形成し、オプション品として用意された左右一対の外付け
スピーカユニットを系合部にワンタッチで着脱できるようにしたものである。
【特許文献１】特開２００３−１５０２８６号公報
【発明の開示】
【発明が解決しようとする課題】
【０００５】
しかしながら、上記の発明では、ノートＰＣの液晶表示パネルの横部に外部スピーカを
取り付けるものであるので、取り付けられる外部スピーカの重量が重くなると液晶表示パ
ネルを開いた状態で固定できなくなるという問題がある。したがってユーザがより高性能
な外部スピーカを取り付けたいと思っても、重量制限からスピーカユニットの大きさに限
度があった。
【０００６】
そこで本発明は、上記問題に鑑みてなされたもので、外付けされるスピーカユニットの
重量制限や大きさの制限を緩和し、ユーザの好みに合った外部スピーカユニットを着脱可
能な情報端末を提供することを目的とする。
【課題を解決するための手段】
【０００７】
上記目的を達成するために、本発明は、主演算器とキーボードが一体となった本体と、
前記本体の一辺に信号端子を介して着脱可能に設けられた表示器とを具備し、
前記信号端子は、前記表示器を前記本体から取り外した状態でスピーカユニットを装着
可能に形成されていることを特徴とする情報端末を提供する。
【０００８】
このとき前記表示器は、前記本体から取り外した状態で前記本体と信号ケーブルを介し
て接続することができる。
【０００９】
また、前記表示器は、前記本体に取り付けた状態で前記本体に対して開閉自在に接続す
ることができる。
【００１０】
また、前記スピーカユニットは、前記本体に取り付けた状態で前記本体に対して取り付
け角度を可変に接続することができる。
【発明の効果】
【００１１】
本発明によると、情報端末の本体部から取り外された表示器の接合部に、外部スピーカ
ユニットを接合できるので、外部スピーカの重量や大きさの許容量が増す。このとき表示
器は信号ケーブルを介して本体部に接続されているので、表示器を取り外しても表示装置
として動画や静止画などを楽しむことができる。
【発明を実施するための最良の形態】
【００１２】
以下、本発明を実施するための最良の形態について図面を用いて詳細に説明する。なお
、本発明は、以下の実施形態に限定されるものではなく、種々選択して用いることができ
る。
【００１３】
先ず、図１を用いて本発明の情報端末装置について説明する。
【００１４】
図１に示すように、本発明の情報端末装置は、本体１と、この本体の一辺にヒンジ５を
介して接合された表示器２とを具備している。表示器２は、液晶表示装置や有機ＥＬ表示
装置など薄型で軽量なもので、ヒンジ５によって本体１に対して開閉できるようになって
いる。図１では、表示器２が本体１に対して開かれた状態を示し、図２は、表示器２が本
体１に対して閉じられた状態を示している。本体１には、図示しないキーボードやＣＰＵ
、メモリなどが備えられており、通常のＰＣや携帯電話などの基本的な機能を有している
。
【００１５】
図３は、本発明の情報端末装置について、本体１から表示器２を取り外し、本体１と表
示器２とを信号ケーブルで接続したものである。ヒンジ部５が取り外された跡にヒンジ接
合部５が現れている。表示器２は、ヒンジ５と本体１に設けられたヒンジ接合部６によっ
て本体１に対して着脱可能に設計されている。
【００１６】
このとき表示器２と本体１とを接続する信号ケーブルは、表示器２のためのビデオ信号
及び電源を供給するための信号線が形成されている。
【００１７】
次に、図４を用いて本発明の情報端末装置に外部スピーカユニットを接続した状態につ
いて説明する。
【００１８】
図４に示すように、情報端末装置の本体１のヒンジ接合部に、外部スピーカユニット４
を、ヒンジ３を用いて接合している。本体１のヒンジ接合部にはコネクタとして５０局の
端子があり、そのうちの４０曲をビデオ信号用として表示器２に用い、１０曲を外部スピ
ーカユニット４に用いるという使い方ができる。
【００１９】
図５は、情報端末装置の本体１に表示器２を装着した側面図である。
【００２０】
表示器２側のヒンジ５の末端に形成されたコネクタ７と本体１側に形成されたコネクタ
８とが系合し電気的に接続されている。ヒンジ５の末端に形成されたコネクタ７と本体１
側に形成されたコネクタ８はお互いにオスメスの接続関係にあり固定されている。コネク
タとしては例えばＵＳＢなどを用いることもできる。
【００２１】
図６は、情報端末装置の本体１に外部スピーカユニット４を装着した側面図である。
【００２２】
外部スピーカユニット４側のヒンジ３の末端に形成されたコネクタ１０と本体１側に形
成されたコネクタ８とが系合し電気的に接続されている。ヒンジ３の末端に形成されたコ
ネクタ１０と本体１側に形成されたコネクタ８はお互いにオスメスの接続関係にあり固定
されている。コネクタとしては例えばＵＳＢなどを用いることもできる。
【００２３】
図５、図６において、コネクタ８は表示器２のためのビデオ信号及び電源を供給し、外
部スピーカユニット４のための音声信号及び電源を供給するようになっている。
【００２４】
このときヒンジ３と外部スピーカユニット４間で回動可能に設計することで本体１に対
して外部スピーカユニット４の据付角度を調整できるようにしてもよい。
【００２５】
次に、図７に、このように形成された情報端末装置の本体１の内部に設けられた構造を
示す。
【００２６】
図７に示すように、この情報端末装置の本体１は、ＣＰＵ１７と、メモリ１６と、ビデ
オ信号処理部（Ｖチップ）１８と、音声信号処理部（Ａチップ）１９がバスを介して接続
されている。ビデオ信号処理部１８と音声信号処理部１９には、それぞれ外部接続端子１
４と１５が接続されている。
【００２７】
ＣＰＵ１７の指令によって、メモリ１６、ビデオ信号処理部１８、音声信号処理部１９
がそれぞれ機能し、本体１の基本的な機能及び映像音声処理を行うことができる構成にな
っている。
【００２８】
このように本発明の情報端末装置は、表示器２を取り外した後の本体１の一辺に外部ス
ピーカユニット４を接続可能としているので、一般に重量の重たい高性能スピーカユニッ
トも接続可能となりユーザの選択幅を広げることが可能となる。
【図面の簡単な説明】
【００２９】
【図１】本発明の実施形態に係わる情報端末装置（表示器を開いた状態）の斜視図。
【図２】本発明の実施形態に係わる情報端末装置（表示器を閉じた状態）の斜視図。
【図３】本発明の実施形態に係わる情報端末装置（表示器を取り外した状態）の斜視図。
【図４】本発明の実施形態に係わる情報端末装置（外部スピーカユニットを装着した状態）の斜視図。
【図５】本発明の実施形態に係わる情報端末装置（表示器を開いた状態）の側面図。
【図６】本発明の実施形態に係わる情報端末装置（外部スピーカユニットを装着した状態）の側面図。
【図７】本発明の実施形態に係わる情報端末装置の本体の内部構造を示したブロック図。
【符号の説明】
【００３０】
１・・・本体
２・・・表示器
３・・・ヒンジ
４・・・外部スピーカユニット
５・・・ヒンジ
６・・・系合部
７・・・コネクタ
８・・・コネクタ
１０・・・コネクタ
１２・・・バスライン
１４・・・接続端子
１５・・・接続端子
１６・・・メモリ
１７・・・ＣＰＵ
１８・・・ビデオ信号処理部
１９・・・音声信号処理部
【図１】
2006106821.tif 000003
【図２】
2006106821.tif 000004
【図３】
2006106821.tif 000005
【図４】
2006106821.tif 000006
【図５】
2006106821.tif 000007
【図６】
2006106821.tif 000008
【図７】
2006106821.tif 000009